(57)【要約】【課題】覆工板に対する支柱の着脱操作を簡単に行えると共に、ナット類を用いずに高い取付け力が得られる、覆工板用支柱の立設構造を提供する。【解決手段】覆工板２０の上面２１の吊り孔２３と覆工板２０の下面２２のピン孔２４とを活用して支柱３０を立設する構造であり、支柱３０は吊り孔２３に内挿可能な支柱本体３１と、該支柱本体の下面に突設した係止ピン３２とを有する。支柱本体３１の底面が覆工板２０の下面２２に当接するまで支柱本体３１を任意の吊り孔２３に挿通させたときに、支柱本体３１の外周面が吊り孔２３に位置決めされると共に、係止ピン３２がピン孔２４に位置決めされる。【選択図】図２
0003215129.tif 000002
【実用新案登録請求の範囲】
【請求項１】
上面と下面を有すると共に、上面の四隅に吊り孔が開設してある覆工板の隅部に支柱を立設する覆工板用支柱の立設構造であって、
前記覆工板の各吊り孔の真下の下面にピン孔が形成され、
前記支柱は吊り孔に内挿可能な支柱本体と、該支柱本体の下面に突設した係止ピンとを有し、
前記支柱本体の底面が覆工板の下面に当接するまで支柱本体の下部を覆工板の任意の吊り孔に挿通させたときに、支柱本体の外周面が覆工板の上面の吊り孔に水平移動が不能な状態に位置決めされると共に、支柱本体の係止ピンが覆工板の下面のピン孔に挿通して水平移動が不能な状態に位置決めされることを特徴とする、
覆工板用支柱の立設構造。
【請求項２】
前記支柱が覆工板に対して真上に抜き取り可能であることを特徴とする、請求項１に記載の覆工板用支柱の立設構造。
【請求項３】
前記支柱が有底構造の支柱本体と、支柱本体の底部の中心に下向きに突設された係止ピンとを有することを特徴とする、請求項１または２に記載の覆工板用支柱の立設構造。
【請求項４】
前記係止ピンがボルト部材またはピン部材であることを特徴とする、請求項１乃至３の何れか一項に記載の覆工板用支柱の立設構造。
【請求項５】
前記ピン孔が吊り孔より小径であることを特徴とする、請求項１に記載の覆工板用支柱の立設構造。
【請求項６】
前記覆工板の吊り孔に挿通された支柱本体の下部と覆工板の吊り孔との周面間にクサビが打ち込まれて支柱本体が覆工板に位置決めされていることを特徴とする、請求項１に記載の覆工板用支柱の立設構造。
【請求項７】
前記支柱が安全帯用支柱であることを特徴とする、請求項１乃至６の何れか一項に記載の覆工板用支柱の立設構造。
【考案の詳細な説明】
【技術分野】
【０００１】
本考案は、各種工事現場において覆工板の隅部に支柱本体を立設する覆工板用支柱の立設構造に関する。
【背景技術】
【０００２】
覆工板上に立設した複数の手摺支柱の上部間にロープ材やパイプ材を張り渡した仮柵が知られている。
特許文献１には、覆工板の四隅に開設されている吊り穴を利用して手摺支柱を立設することが開示されている。
この手摺支柱は、パイプ製の支柱本体に締付けハンドル付きの軸杆が内挿されていると共に、支柱本体の下端に突出させた軸杆の下部に係止板が枢支された構造になっている。
手摺支柱を覆工板に立設するには、支柱下部を覆工板の吊り穴内に差し込んだ後に、締付けハンドルの回転操作により軸杆を引き上げることで支柱本体の下部に張り出した基板と係止板との間で覆工板の床板の上下面を挟持して固定する。
【０００３】
一般に高さ２ｍ以上の高所で作業を行う際は安全帯の使用が義務付けられている。
従来は固定強度が小さいために手摺支柱を安全帯(命綱)の取付設備として使用することが禁止されている。
そのため、高所作業を行う場合には、手摺支柱とは別の安全帯用の専用支柱の下部を覆工板上に溶接またはボルト止めにより強固に固定して立設しなければならない。
【先行技術文献】
【特許文献】
【０００４】
【特許文献１】実開平７−１０２５５号公報
【考案の概要】
【考案が解決しようとする課題】
【０００５】
従来の手摺支柱は部品点数が多く、構成が複雑であるためコスト高になると共に、取付強度や安定性を十分に確保することのが困難であるという問題があった。
安全帯を使用する場合は安全帯用の専用支柱を立設しなければならず、安全帯用の専用支柱の立設作業や撤去作業に多くの時間と手間がかかっていた。
【０００６】
本考案は以上の点に鑑みて成されたもので、その目的とするところは覆工板に対する支柱の着脱操作を簡単に行えると共に、安全帯用支柱としても使用可能なように高い取付力が得られる、覆工板用支柱の立設構造を提供することにある。
【課題を解決するための手段】
【０００７】
本願考案は、覆工板の吊り孔を活用して覆工板の隅部に、安全帯用支柱として使用可能な支柱を立設する覆工板用支柱の立設構造であり、覆工板の各吊り孔の真下の下面に吊り孔より小径のピン孔が形成されている。
支柱は吊り孔に内挿可能な支柱本体と、該支柱本体の下面に突設した係止ピンとを有している。
支柱本体の底面が覆工板の下面に当接するまで支柱本体の下部を覆工板の任意の吊り孔に挿通させたときに、支柱本体の外周面が覆工板の上面の吊り孔に水平移動が不能な状態に位置決めされると共に、支柱本体の係止ピンが覆工板の下面のピン孔に挿通して水平移動が不能な状態に位置決めされる。
本考案の他の形態において、前記支柱は覆工板に対して真上に抜き取り可能である。
本考案の他の形態において、前記支柱は有底構造の支柱本体と、支柱本体の底部の中心に下向きに突設された係止ピンとを有する。
本考案の他の形態において、支柱本体と覆工板の吊り孔との間に径差があるときは、支柱本体の下部と覆工板の吊り孔との周面間にクサビを打ち込んで支柱本体を覆工板に位置決めする。
本考案の他の形態において、係止ピンがボルト部材またはピン部材である。
【考案の効果】
【０００８】
本考案は少なくとも何れか１つの効果を得ることができる。
＜１＞覆工板に対する支柱の着脱操作を簡単に行えると共に、覆工板に対して高い取付力が得られるので手摺支柱としての使用だけでなく、安全帯用支柱としても使用することができる。
＜２＞安全帯用支柱として使用できるので、覆工板への着脱に多くの手間と時間を要していた従来の安全帯用の専用支柱が不要となる。
＜３＞支柱の取付け手段としてナット類を一切用いる必要がなく、支柱の下部の複数箇所を覆工板に当接させて位置決めすることで高い取付力を確保することができる。
＜４＞既設の吊り孔を活用するので覆工板への加工はピン孔の開設作業だけで済む。
＜５＞支柱は支柱本体の底部に係止ピンを突設しただけの構造であるため、支柱を低コストに製作できる。
【図面の簡単な説明】
【０００９】
【図１】本考案に係る覆工板用支柱の立設構造の斜視図
【図２】支柱と覆工板との取付部の断面図
【図３】吊り孔を周辺における覆工板の平面図
【考案を実施するための形態】
【００１０】
以下図面を参照しながら本考案について詳しく説明する。
【００１１】
＜１＞覆工板
図１は受桁１０上に複数の覆工板２０を敷設した形態を示している。
覆工板２０は、少なくとも上面２１と下面２２を有すると共に、上面２１の四隅に円形の吊り孔２３が開設してある構造であればよく、並列させた複数のＨ形鋼を繋ぎ合わせたタイプや間隔を隔てた鋼材の上下に鋼板を付設したタイプ等の公知の覆工板を含むものである。
【００１２】
覆工板２０は支柱３０を安定して立設するため、各吊り孔２３の真下の下面２２にピン孔２４を有している。
ピン孔２４は吊り孔２３より小径の貫通孔であるから、既存の覆工板２０に対して簡単に穿設することができる。
【００１３】
＜２＞支柱
図２を参照して説明すると、支柱３０は手摺支柱と安全帯用支柱を兼ねていて、支柱本体３１と、支柱本体３１の下面に下向きに突設した係止ピン３２とを具備する。
【００１４】
＜２．１＞支柱本体
支柱本体３１は覆工板２０の吊り孔２３に内挿可能な有底構造の管体であり、例えば公知の鋼管等を使用できる。
支柱本体３１の下部は溶接等で固着した底板３３で封止してある。
支柱本体３１の全長とは適宜選択可能である。
【００１５】
＜２．２＞係止ピン
支柱本体３１の底板３３の中央には支柱本体３１の軸心と平行に向けた係止ピン３２が下向きに突設してある。
係止ピン３２は支柱本体３１の底部を覆工板２０の下面２２に水平移動が不能な状態に位置決めするための突起体である。
係止ピン３２には立設状態の支柱本体３１に曲げ力が作用したときにこの曲げ力に対抗し得るだけのせん断強度が付与してある。
係止ピン３２としてハイテンションボルト等のボルト部材やピン部材等の市販品を用いることができる。
係止ピン３２は底板３３を貫通して固着してもよいが、貫通せずに底板３３の下面に固着してもよい。
さらに支柱本体３１の底部を小径に絞り込んで係止ピン３２を一体に形成してもよい。
【００１６】
＜２．３＞支柱本体と吊り孔の寸法関係
柱本体３１の径は覆工板２０の吊り孔２３に挿入したときに吊り孔２３との間で大きなガタツキが生じないように、吊り孔２３の径よりやや小径の寸法関係にしてある。
柱本体３１と吊り孔２３との間に寸法差がある場合は、クサビ等を打ち込んでガタツキをなくして柱本体３１を立設するようにする。
【００１７】
＜２．４＞係止ピンとピン孔の寸法関係
係止ピン３２の外径はピン孔２４に挿し込んだときにピン孔２４との間で大きなガタツキが生じないように、ピン孔２４の径よりやや小径の寸法関係にしてある。
【００１８】
［使用方法］
支柱３０の使用方法について説明する。
【００１９】
１．支柱の立設操作
＜１＞支柱本体の挿し込み
支柱３０を覆工板２０に立設するには、覆工板２０の任意の吊り孔２３に対して支柱本体３１の底部を鉛直に向けて差し込むだけでよい。
支柱本体３１の底部を吊り孔２３に挿通させた後、下端の係止ピン３２をピン孔２４に挿通させる。支柱本体３１の底面が下面２２に当接するまで支柱本体３１を挿し込む。
【００２０】
＜２＞手摺パイプの架設
このようにして覆工板２０に間隔を隔てて立設した支柱３０の上部間に、例えばクランプ装置４１を介して手摺パイプ４０を架け渡す。手摺パイプ４０に代えて命綱用ロープ材を架け渡してもよい。
【００２１】
＜３＞支柱の取付け強度について
支柱３０の下部外周面が覆工板２０の上面２１の吊り孔２３に当接して水平移動が不能な状態に位置決めされると共に、係止ピン３２が覆工板２０の下面２２のピン孔２４に挿通して水平移動が不能な状態に位置決めされる。
さらに支柱本体３１の底面が下面２２に当接して高さ方向に位置手決めされている。
このように支柱３０の下部は覆工板２０に対して合計三箇所で位置決めされるので、支柱３０に作用する曲げ力はこれら三箇所の当接部で分散して支持される。
特に、覆工板２０の厚さ分の間隔で吊り孔２３とピン孔２４が離れているので、曲げに対する耐力が大きくなる。
したがって、支柱３０を手摺用支柱として用いるだけでなく、安全帯(命綱)の取付設備としても使用することができる。
【００２２】
＜４＞支柱の抜け出しについて
支柱３０には支柱３０と手摺パイプ４０の重量等が作用しているため、使用中に支柱３０が簡単に抜け出ることはない。
殊に係止ピン３２をボルト部材で形成しておくと、係止ピン３２の軸部に形成されたねじ山がピン孔２４からの抜け出し抵抗となって支柱３０が抜け出し難くなる。
【００２３】
２．支柱の撤去
支柱３０を撤去するには、支柱本体３１を真上に引き抜く。
係止ピン３２にナット部材が螺着しておらず、支柱３０が吊り孔２３とピン孔２４に挿通してあるだけであるので、支柱本体３１を真上に持ち上げるだけの簡単な作業で支柱３０を撤去することができる。
【符号の説明】
【００２４】
１０・・・・受桁
２０・・・・覆工板
２１・・・・覆工板の上面
２２・・・・覆工板の下面
２３・・・・覆工板の吊り孔
２４・・・・覆工板の係止孔
３０・・・・支柱
３１・・・・支柱本体
３２・・・・係止ピン
４０・・・・手摺パイプ
４１・・・・クランプ装置
【図１】
0003215129.tif 000003
【図２】
0003215129.tif 000004
【図３】
0003215129.tif 000005